(57)【要約】      （修正有）【課題】警報音声を出力する機器の周辺にいる人に異状が発生したことを認識させることができる警報システム、及び警報制御装置を提供する。【解決手段】警報システムは、建物内の空間に設けられる感知器１と、空間に設けられるインターホン３と、住棟受信機４とを備える。感知器１は、空間で発生した異状を検出する検出部１２を有し、住棟受信機４は、空間に存在する空間の利用者が使用する言語を特定する言語特定部４２０と、複数の言語のそれぞれに関連付けて、警報音声を示す複数の警報音声情報を記憶する記憶部４１と、記憶部４１に記憶されている複数の警報音声情報のうち、特定された言語に対応する警報音声情報を選択する選択部４２１と、検出部１２が異状を検出すると、選択された警報音声情報に対応する警報音声をインターホン３に出力させる出力制御部４２２と、を有する。【選択図】図２
2019101638.tif 000002
【特許請求の範囲】
【請求項１】
建物内の空間に設けられる感知器と、前記空間に設けられる出音装置と、警報制御装置とを備え、
前記感知器は、
前記空間で発生した異状を検出する検出部を有し、
前記警報制御装置は、
前記空間に存在する前記空間の利用者が使用する言語を特定する言語特定部と、
複数の言語のそれぞれに関連付けて、警報音声を示す複数の警報音声情報を記憶する記憶部と、
前記記憶部に記憶されている複数の前記警報音声情報のうち、特定された言語に対応する警報音声情報を選択する選択部と、
前記検出部が異状を検出すると、選択された前記警報音声情報に対応する警報音声を前記出音装置に出力させる出力制御部と、
を有する警報システム。
【請求項２】
前記感知器は、
前記空間で発せられた前記利用者の音声を示す音声情報を取得する取得部をさらに有し、
前記言語特定部は、取得された前記音声情報に基づいて、前記利用者が使用する言語を特定する、
請求項１に記載の警報システム。
【請求項３】
前記建物内には複数の区画が設定され、前記感知器と前記出音装置とは、前記複数の区画のうち一つの区画に対応する空間に一個又は複数個設けられており、
前記言語特定部は、前記複数の区画のそれぞれに対応する前記感知器により取得された前記音声情報に基づいて、前記複数の区画のそれぞれに対応する前記利用者が使用する言語を特定し、
前記選択部は、前記複数の区画のそれぞれに対して前記警報音声情報を選択し、
前記出力制御部は、前記検出部が異状を検出すると、前記区画に対して選択された前記警報音声情報に対応する警報音声を、当該区画に設けられている出音装置に出力させる、
請求項２に記載の警報システム。
【請求項４】
前記出力制御部は、前記検出部が異状を検出すると、異状を検出した前記感知器に対応する区画に設けられている前記出音装置に限定して前記警報音声を出力させる、
請求項３に記載の警報システム。
【請求項５】
前記言語特定部は、前記複数の区画のそれぞれに対応する前記感知器により取得した前記音声情報に基づいて前記言語を特定したことに応じて、特定した前記言語を示す情報と、区画を示す情報とを関連付けて前記記憶部に記憶させ、
前記選択部は、前記記憶部を参照して前記複数の区画のそれぞれに対して、所定期間内に特定された回数が相対的に多い一以上の言語を特定し、特定した一以上の言語に対応する前記警報音声情報を選択する、
請求項３又は４に記載の警報システム。
【請求項６】
前記検出部は、前記空間で発生した複数の種別の異状を検出し、
前記出力制御部は、前記感知器が検出した異状の種別に基づいて、前記警報音声を出力する対象となる前記区画を特定し、特定した区画に設けられている前記出音装置に前記警報音声を出力させる、
請求項３から５のいずれか一項に記載の警報システム。
【請求項７】
前記感知器において検出する異状とは異なる前記空間の異状を検出する検出器をさらに備え、
前記出力制御部は、前記感知器が異状を検出した場合には、第１の範囲に含まれる区画に設けられている前記出音装置に前記警報音声を出力させ、前記検出器が異状を検出した場合には、第２の範囲に含まれる区画に設けられている前記出音装置に前記警報音声を出力させる、
請求項３から６のいずれか一項に記載の警報システム。
【請求項８】
建物内の空間に存在する前記空間の利用者が使用する言語を特定する言語特定部と、
複数の言語のそれぞれに関連付けて、警報音声を示す複数の警報音声情報を記憶する記憶部と、
前記記憶部に記憶されている複数の前記警報音声情報のうち、特定された言語に対応する警報音声情報を選択する選択部と、
前記空間に設けられる感知器が前記空間で発生した異状を検出すると、選択された前記警報音声情報に対応する警報音声を、前記空間に設けられる出音装置に出力させる出力制御部と、
を有する警報制御装置。
【発明の詳細な説明】
【技術分野】
【０００１】
本発明は、警報システム、及び警報制御装置に関する。
【背景技術】
【０００２】
従来、異状を検出すると音声による警報を出力する警報器を備える警報システムが知られている（例えば、特許文献１を参照）。
【先行技術文献】
【特許文献】
【０００３】
【特許文献１】特開２００９−４８５９０号公報
【発明の概要】
【発明が解決しようとする課題】
【０００４】
従来の警報システムは、異状が発生していることを通知する警報音声を一種類の言語で通知していた。しかしながら、従来の警報システムの警報器が設置された場所には、当該言語を理解できない人が訪れる場合がある。当該言語を理解できない人は、当該言語で通知された警報音声の内容を理解できず、異状が発生していることを認識できなかった。
【０００５】
そこで、本発明はこれらの点に鑑みてなされたものであり、警報音声を出力する機器の周辺にいる人に異状が発生していることを認識させることができる警報システム、及び警報制御装置を提供することを目的とする。
【課題を解決するための手段】
【０００６】
本発明の警報システムは、建物内の空間に設けられる感知器と、前記空間に設けられる出音装置と、警報制御装置とを備え、前記感知器は、前記空間で発生した異状を検出する検出部を有し、前記警報制御装置は、前記空間に存在する前記空間の利用者が使用する言語を特定する言語特定部と、複数の言語のそれぞれに関連付けて、警報音声を示す複数の警報音声情報を記憶する記憶部と、前記記憶部に記憶されている複数の前記警報音声情報のうち、特定された言語に対応する警報音声情報を選択する選択部と、前記検出部が異状を検出すると、選択された前記警報音声情報に対応する警報音声を前記出音装置に出力させる出力制御部と、を有する。
【０００７】
前記感知器は、前記空間で発せられた前記利用者の音声を示す音声情報を取得する取得部をさらに有し、前記言語特定部は、取得された前記音声情報に基づいて、前記利用者が使用する言語を特定してもよい。
【０００８】
例えば、前記建物内には複数の区画が設定され、前記感知器と前記出音装置とは、前記複数の区画のうち一つの区画に対応する空間に一個又は複数個設けられており、前記言語特定部は、前記複数の区画のそれぞれに対応する前記感知器により取得された前記音声情報に基づいて、前記複数の区画のそれぞれに対応する前記利用者が使用する言語を特定し、前記選択部は、前記複数の区画のそれぞれに対して前記警報音声情報を選択し、前記出力制御部は、前記検出部が異状を検出すると、前記区画に対して選択された前記警報音声情報に対応する警報音声を、当該区画に設けられている出音装置に出力させる。
【０００９】
例えば、前記出力制御部は、前記検出部が異状を検出すると、異状を検出した前記感知器に対応する区画に設けられている前記出音装置に限定して前記警報音声を出力させる。
【００１０】
例えば、前記言語特定部は、前記複数の区画のそれぞれに対応する前記感知器により取得した前記音声情報に基づいて前記言語を特定したことに応じて、特定した前記言語を示す情報と、区画を示す情報とを関連付けて前記記憶部に記憶させ、前記選択部は、前記記憶部を参照して前記複数の区画のそれぞれに対して、所定期間内に特定された回数が相対的に多い一以上の言語を特定し、特定した一以上の言語に対応する前記警報音声情報を選択する。
【００１１】
前記検出部は、前記空間で発生した複数の種別の異状を検出し、前記出力制御部は、前記感知器が検出した異状の種別に基づいて、前記警報音声を出力する対象となる前記区画を特定し、特定した区画に設けられている前記出音装置に前記警報音声を出力させてもよい。
【００１２】
前記警報システムは、前記感知器において検出する異状とは異なる前記空間の異状を検出する検出器をさらに備え、前記出力制御部は、前記感知器が異状を検出した場合には、第１の範囲に含まれる区画に設けられている前記出音装置に前記警報音声を出力させ、前記検出器が異状を検出した場合には、第２の範囲に含まれる区画に設けられている前記出音装置に前記警報音声を出力させてもよい。
【００１３】
本発明の警報制御装置は、建物内の空間に存在する前記空間の利用者が使用する言語を特定する言語特定部と、複数の言語のそれぞれに関連付けて、警報音声を示す複数の警報音声情報を記憶する記憶部と、前記記憶部に記憶されている複数の前記警報音声情報のうち、特定された言語に対応する警報音声情報を選択する選択部と、前記空間に設けられる感知器が前記空間で発生した異状を検出すると、選択された前記警報音声情報に対応する警報音声を、前記空間に設けられる出音装置に出力させる出力制御部と、を有する。
【発明の効果】
【００１４】
本発明によれば、警報音声を出力する機器の周辺にいる人に異状が発生したことを認識させることができるという効果を奏する。
【図面の簡単な説明】
【００１５】
【図１】第１の実施形態に係る警報システムの概要を説明するための図である。
【図２】第１の実施形態に係る警報システムの機能構成を示す図である。
【図３】特定言語情報の一例を示す図である。
【図４】警報音声情報を選択する処理のシーケンス図である。
【図５】警報音声を出力させる処理のシーケンス図である。
【図６】第３の実施形態に係る警報システムの概要を説明するための図である。
【図７】第３の実施形態に係る警報システムの機能構成を示す図である。
【図８】第４の実施形態に係る警報システムの機能構成を示す図である。
【発明を実施するための形態】
【００１６】
＜第１の実施形態＞
［本発明の概要］
初めに、図１を参照して、本発明の第１の実施形態の概要を説明する。図１は、第１の実施形態に係る警報システムＳの概要を説明するための図である。警報システムＳは、建物内において発生した異状を検出して、建物内に存在する利用者に異状が発生していることを警報音声により通知する警報システムである。
【００１７】
警報システムＳは、建物内の空間に設けられた複数の感知器１（１ａ、１ｂ、１ｃ、１ｄ）と、複数の室内受信機２（２ａ、２ｂ）と、警報音声を出力する複数のインターホン３（３ａ、３ｂ）と、警報制御装置としての住棟受信機４とを備える。建物内には複数の区画Ａ（Ａ１、Ａ２）が設定され、複数の感知器１と、複数の室内受信機２と、複数のインターホン３とのそれぞれは、複数の区画Ａのうち一つの区画Ａに対応する空間に設けられている。なお、インターホン３は、室内受信機２に内蔵されていてもよい。図１に示すように、感知器１ａ及び１ｂと、室内受信機２ａと、インターホン３ａとは、区画Ａ１に対応する空間に設けられている。また、図１に示すように、感知器１ｃ及び１ｄと、室内受信機２ｂは、区画Ａ２に対応する空間に設けられ、インターホン３ｂは、室内受信機２ｂに内蔵されている。また、警報システムＳは、インターホン３の子機としてドアホン６を備える。
【００１８】
ここで、建物内に設定された区画は、例えば、建物内の部屋であるものとするが、これに限らず、建物内の廊下、ラウンジ、階段スペース等であってもよい。また、以下の説明では、異状の一例として、火災を検出した場合について説明する。
【００１９】
感知器１は、火災を検出すると、火災を検出したことを示す検出情報を室内受信機２に送信する。複数の室内受信機２のそれぞれは、専用の信号線によって直接又は図示しない中継器を介して住棟受信機４と接続されている。室内受信機２は、専用の信号線により検出情報を住棟受信機４に送信する。住棟受信機４は、検出情報を受信すると、火災が発生していることを通知する警報音声をインターホン３に出力させる。このとき、インターホン３の周辺にいる利用者が警報音声の言語を理解できないと、利用者は火災が発生していることを認識することができない。
【００２０】
そこで、住棟受信機４は、建物内に設定された区画ごとに利用者が使用する言語を特定する。住棟受信機４は、火災を検出したことを示す検出情報を感知器１から受信すると、区画ごとに特定した言語に対応する警報音声を、区画に対応するインターホン３に出力させる。このようにすることで、警報システムＳは、インターホン３の周辺にいる利用者が理解できる言語で火災が発生していることを認識させることができる。
【００２１】
［警報システムＳの機能構成］
図２は、第１の実施形態に係る警報システムＳの機能構成を示す図である。
【００２２】
まず、感知器１の構成について説明する。図２に示すように、感知器１は、通信部１０と、検出部１２とを備える。
通信部１０は、室内受信機２を介して住棟受信機４に検出情報を送信するための信号線に対応した通信インターフェースである。
【００２３】
検出部１２は、空間で発生した異状を検出する。具体的には、検出部１２は、火災の熱を検出する熱検出器、火災の煙を検出する煙検出器、火災の炎を検出する炎検出器、又は空気中の一酸化炭素濃度を検出する一酸化炭素検出器の少なくともいずれかであり、異状として火災を検出する。検出部１２は、火災を検出すると、火災を検出したことを示す検出情報を室内受信機２に送信する。
【００２４】
次に、出音装置としてのインターホン３の構成について説明する。図２に示すように、インターホン３は、通信部３０と、出力部３１とを備える。通信部３０は、室内受信機２から情報を受信するための通信インターフェースである。出力部３１は、例えば電気信号を増幅するアンプと、増幅された電気信号を音に変換するスピーカーとを備える。出力部３１は、通信部３０が室内受信機２から警報音声情報を受信すると、当該警報音声情報に対応する警報音声を出力する。なお、出音装置は、建物内に単体で設けられたスピーカーであってもよい。
【００２５】
続いて、室内受信機２の構成について説明する。図２に示すように、室内受信機２は、通信部２０と、取得部２１とを備える。
通信部２０は、住棟受信機４と情報を送受信するための信号線に対応した通信インターフェースである。また、通信部２０は、感知器１から検出情報を受信し、インターホン３に警報音声情報を送信するための信号線にも対応している。
【００２６】
取得部２１は、空間で発せられた利用者の音声を示す音声情報を取得する。取得部２１は、マイクとフィルタとを備える。取得部２１のマイクは、入力された音声を音声情報に変換する。取得部２１のフィルタは、当該音声情報が示す音声のうち、特定周波数帯域の音声を低減するフィルタリング処理を行う。取得部２１は、特定周波数帯域が低減された音声情報を生成する。
【００２７】
続いて、住棟受信機４の構成について説明する。住棟受信機４は、例えばコンピュータであり、通信部４０と、記憶部４１と、制御部４２とを備える。
通信部４０は、室内受信機２と情報を送受信するための通信インターフェースである。
【００２８】
記憶部４１は、ＲＯＭ（Read Only Memory）、ＲＡＭ（Random Access Memory）及びハードディスク等の記憶媒体を含む。記憶部４１は、制御部４２が実行するプログラムを記憶する。記憶部４１は、区画を識別する区画ＩＤと、当該区画に対応する空間に設けられているインターホン３を識別するインターホンＩＤとを関連付けて記憶する。また、記憶部４１は、感知器１に関連付けて、感知器１が火災を感知した場合に警報音声を出力する対象となる一以上の区画の区画ＩＤを記憶する。一以上の区画は、例えば、感知器１から所定の距離内の区画である。
【００２９】
記憶部４１は、複数の言語のそれぞれに関連付けて、警報音声を示す複数の警報音声情報を記憶する。例えば、日本語に対応する警報音声は、「火事です。安全を確認の上避難してください」という日本語の音声メッセージである。また、中国語に対応する警報音声は、日本語の音声メッセージと同等の内容を示す中国語の音声メッセージである。また、記憶部４１は、複数の言語のそれぞれに対応する音声の特徴を示す情報と、言語名とを関連付けて記憶する。さらに、記憶部４１は、制御部４２の制御に応じて、制御部４２が特定した言語を示す言語名と、区画を識別する区画ＩＤと、当該言語を特定した特定日時とを関連付けた特定言語情報を記憶する。
【００３０】
制御部４２は、例えばＣＰＵ（Central Processing Unit）である。制御部４２は、記憶部４１に記憶されたプログラムを実行することにより、言語特定部４２０、選択部４２１、及び出力制御部４２２として機能する。
【００３１】
言語特定部４２０は、空間に存在する利用者が使用する言語を特定する。具体的には、言語特定部４２０は、複数の区画のそれぞれに対応する室内受信機２の取得部２１により取得され室内受信機２から受信した音声情報に基づいて、複数の区画のそれぞれに対応する利用者が使用する言語を特定する。
【００３２】
より具体的には、まず、言語特定部４２０は、室内受信機２から音声情報を受信する。言語特定部４２０は、音声情報を受信した室内受信機２に対応する区画ＩＤを特定する。言語特定部４２０は、室内受信機２から受信した音声情報から音声の特徴を抽出する。言語特定部４２０は、記憶部４１に記憶された言語ごとの音声の特徴と言語名との関係を参照し、抽出した特徴に関連付けられている言語名を特定することにより、利用者が使用する言語を特定する。
【００３３】
そして、言語特定部４２０は、複数の区画のそれぞれに対応する室内受信機２により取得した音声情報に基づいて利用者が使用する言語を特定したことに応じて、特定した言語を示す情報と、区画を示す情報とを関連付けて記憶部４１に記憶させる。具体的には、言語特定部４２０は、特定した言語を示す言語名と、特定した区画ＩＤと、当該言語を特定した特定日時とを関連付けた特定言語情報として記憶部４１に記憶させる。図３は、特定言語情報の一例を示す図である。
【００３４】
図３に示す例は、区画Ａ１において中国語及び日本語が話されている例を示している。この場合、言語特定部４２０は、区画Ａ１に対応する空間において話されている言語名が中国語又は日本語であると特定している。図３に示す例では、言語特定部４２０は、特定日時が「２０１７／１０／１５  １８：０６」及び「２０１７／１０／１５  １８：０７」において、区画Ａ１に対応する空間において話されている言語が日本語であると特定している。これは、例えば、区画Ａ１に対応する空間に日本人と中国人がいる場合に相当する。
【００３５】
選択部４２１は、所定時間おきに、記憶部４１に記憶されている複数の警報音声情報のうち、言語特定部４２０により特定された言語に対応する警報音声情報を選択する。選択部４２１は、複数の区画のそれぞれに対して警報音声情報を選択する。
【００３６】
具体的には、選択部４２１は、記憶部４１に記憶されている特定言語情報を参照し、複数の区画のそれぞれに対して、現在時刻から所定期間（例えば、１日）前までの間に最も多く特定された言語を抽出する。そして、選択部４２１は、最も多く特定された言語に対応する警報音声情報を選択する。図３に示す例において、選択部４２１が、区画Ａ１に対して、１０月１５日に特定された言語に基づいて警報音声情報を選択する場合、選択部４２１は、中国語に対応する警報音声情報を選択する。ここで、所定期間は、利用者が区画を利用する利用期間であってもよい。
【００３７】
なお、建物内に設定された複数の区画のそれぞれに対応する空間は、使用言語の異なる複数の利用者により利用される場合がある。そのため、選択部４２１は、記憶部４１を参照して複数の区画のそれぞれに対して、所定期間内に特定された回数が相対的に多い一以上の言語を特定し、特定した一以上の言語に対応する警報音声情報を選択してもよい。例えば、選択部４２１は、複数の区画のそれぞれに対して、特定された回数が多い順に複数の言語を選択してもよい。
【００３８】
出力制御部４２２は、感知器１の検出部１２が火災を検出すると、選択された警報音声情報に対応する警報音声をインターホン３の出力部３１に出力させる。出力制御部４２２は、複数の区画のそれぞれに対して選択された警報音声情報に対応する警報音声を、当該区画に設けられているインターホン３の出力部３１に出力させる。
【００３９】
具体的には、まず、出力制御部４２２は、建物内に設けられたいずれかの感知器１の検出部１２から火災を検出したことを示す検出情報を受信する。次に、出力制御部４２２は、複数の区画のそれぞれに対して選択された警報音声情報を複数の区画のそれぞれに設けられたインターホン３の出力部３１に繰り返し送信する。インターホン３の出力部３１は、出力制御部４２２から警報音声情報を受信すると、警報音声情報に対応する警報音声を出力する。なお、出力制御部４２２は、１つの区画に対して選択部４２１により複数の警報音声情報が選択された場合には、選択された複数の警報音声情報のそれぞれに対応する警報音声を、当該区画に設けられているインターホン３の出力部３１に出力させる。
【００４０】
以上の説明において、出力制御部４２２は、複数の区画のそれぞれに設けられているインターホン３に警報音声情報を送信したが、これに限らず、特定の区画に設けられているインターホン３に対して警報音声情報を送信してもよい。例えば、出力制御部４２２は、感知器１の検出部１２が異状を検出し、感知器１から火災を検出したことを示す検出情報を受信すると、火災が発生した区画を特定する。出力制御部４２２は、記憶部４１を参照し、当該区画を識別する区画ＩＤに関連付けられているインターホン３を特定する。そして、出力制御部４２２は、異状を検出した感知器１に対応する一以上の区画に設けられているインターホン３に限定して警報音声を出力させる。このようにすることで、出力制御部４２２は、感知器１が火災を検出したとき、火災が発生した区画と、類焼の危険性がある特定の区画とに優先的に警報音声を出力させ、他の区画には警報音声を出力させないようにすることができる。その結果、必要以上の人が避難を開始することを抑制できるので、避難すべき人が迅速に避難することが可能になる。
【００４１】
［利用者が使用する言語を選択する処理］
以下、図４を参照して、警報システムＳが実行する、利用者が使用する言語を選択する処理の流れを説明する。図４は、警報音声情報を選択する処理のシーケンス図である。以下、区画Ａ１に設けられた感知器１ａと、区画Ａ２に設けられた感知器１ｃとが利用者の音声を示す音声情報を取得し、住棟受信機４が複数の区画それぞれの利用者の言語を特定する場合について説明する。
【００４２】
まず、区画Ａ１に設けられた室内受信機２ａの取得部２１は、利用者の音声を示す音声情報を取得する（ステップＳ１）。取得部２１は、取得した音声情報を住棟受信機４に送信する。住棟受信機４の言語特定部４２０は、音声情報を受信すると、音声情報に基づいて言語を特定する（ステップＳ２）。言語特定部４２０は、特定した言語を示す言語名と、当該言語が特定された特定日時と、室内受信機２ａが設けられた区画名（ここでは、区画Ａ１）とを関連付けて特定言語情報として記憶部４１に記憶させる（ステップＳ３）。ステップＳ１からステップＳ３の処理は繰り返し行われる。
【００４３】
また、区画Ａ２に設けられた室内受信機２ｂの取得部２１は、利用者の音声を示す音声情報を取得する（ステップＳ４）。取得部２１は、取得した音声情報を住棟受信機４に送信する。住棟受信機４の言語特定部４２０は、音声情報を受信すると、音声情報に基づいて言語を特定する（ステップＳ５）。言語特定部４２０は、特定した言語を示す言語名と、当該言語が特定された特定日時と、室内受信機２ｂが設けられた区画名（ここでは、区画Ａ２）とを関連付けて特定言語情報として記憶部４１に記憶させる（ステップＳ６）。ステップＳ４からステップＳ６の処理は繰り返し行われる。なお、ステップＳ１からステップＳ３までの処理と、ステップＳ４からステップＳ６までの処理とを実行する順序は任意であり、警報システムＳは、それぞれの処理を並行して実行してもよい。
【００４４】
続いて、選択部４２１は、記憶部４１の特定言語情報を参照して、複数の区画のそれぞれにおいて、所定期間内に特定された回数が相対的に多い言語を特定する（ステップＳ７）。そして、選択部４２１は、区画ごとに、特定した言語に対応する警報音声情報を選択する（ステップＳ８）。
【００４５】
［警報音声を出力させる処理］
以下、図５を参照して、警報システムＳが実行する、警報音声を出力させる処理の流れを説明する。図５は、警報音声を出力させる処理のシーケンス図である。以下、区画Ａ１において火災が発生した場合の処理について説明する。
【００４６】
まず、区画Ａ１に設けられた感知器１ａの検出部１２は、区画Ａ１で発生した異状として火災を検出する（ステップＳ１１）。検出部１２は、火災を検出したことを示す検出情報を住棟受信機４に送信する。住棟受信機４の出力制御部４２２は、検出情報を受信すると、区画ごとに選択された警報音声情報を、複数の区画のそれぞれに設けられた複数のインターホン３のそれぞれに送信する（ステップＳ１２）。
【００４７】
そして、インターホン３ａの出力部３１は、警報音声情報を受信すると、当該警報音声情報に対応する警報音声を出力する（ステップＳ１３）。また、インターホン３ｂの出力部３１は、警報音声情報を受信すると、当該警報音声情報に対応する警報音声を出力する（ステップＳ１４）。このようにすることで、住棟受信機４は、建物内に設定された複数の区画のそれぞれに、複数の区画のそれぞれに対応した警報音声を一斉に出力させることができる。
【００４８】
［第１の実施形態に係る警報システムＳの効果］
以上説明したように、警報システムＳの住棟受信機４は、複数の区画のそれぞれに存在する利用者が使用する言語を特定し、複数の区画のそれぞれにおいて特定された言語に対応する警報音声情報を選択する。そして、住棟受信機４は、異状が発生すると、選択された警報音声情報に対応する警報音声をインターホン３に出力させる。このようにすることで、警報システムＳは、インターホン３の周辺にいる利用者が理解できる言語で警報音声を出力することができるので、利用者に異状が発生していることを認識させることができる。
【００４９】
＜第２の実施形態＞
次に、本発明の第２の実施形態について説明する。警報システムＳにおいて、感知器１が正常に動作しない場合、感知器１が設けられた空間で発生した異状を正常に検出できないおそれがある。そこで、第２の実施形態に係る警報システムＳは、感知器１が正常に動作しない状態を、感知器１が設けられた空間で発生した異状として検出し、警報音声を通知する。なお、第２の実施形態に係るインターホン３は、第１の実施形態に係る室内受信機２の構成と住棟受信機４の構成とを備え、第１の実施形態に係る住棟受信機４と同様に動作する。以下、第１の実施形態と異なる点について説明し、同様の点については適宜省略する。
【００５０】
第２の実施形態に係る感知器１の検出部１２は、感知器１が設けられた空間で発生した複数の種別の異状を検出する。異状の種別は、例えば、火災、及び感知器１が正常に動作しない状態である。感知器１が正常に動作しない状態は、例えば、感知器１の電池電圧の低下、又は感知器１の故障である。検出部１２は、異状を検出すると、インターホン３に送信する。
【００５１】
インターホン３の記憶部は、複数の種別情報のそれぞれと、警報音声を出力する区画の範囲とを関連付けた範囲情報を記憶する。例えば、インターホン３の記憶部は、火災を示す種別情報に関連付けて、警報音声を出力する範囲が建物内の全ての区画であることを示す範囲情報を記憶する。また、インターホン３の記憶部は、正常に動作しない状態を示す種別情報に関連付けて、警報音声を出力する範囲が、正常に動作しない状態を検出した感知器１が設けられた区画であることを示す範囲情報を記憶する。
【００５２】
インターホン３の出力制御部は、検出部１２から種別情報を含む検出情報を受信すると、当該種別情報に基づいて、感知器１が検出した異状の種別を特定する。出力制御部は、インターホン３の記憶部に記憶された範囲情報を参照し、特定した異状の種別に基づいて、警報音声を出力する対象となる区画を特定する。例えば、出力制御部は、感知器１が正常に動作しない状態であることを示す種別情報を含む検出情報を受信すると、正常に動作しない状態を検出した感知器１が設けられた区画を特定する。そして、出力制御部は、特定した区画に設けられたインターホン３の出力部３１に警報音声を出力させる。具体的には、出力制御部は、感知器１が正常に動作しない状態を検出した場合、インターホン３が設けられた区画に警報音声を出力させる。また、出力制御部は、感知器１が火災を検出した場合、住棟受信機４に火災を検出したことを示す検出情報を通知することにより、例えば建物内のすべての区画に設けられたインターホン３に警報音声を出力させる。
【００５３】
［第２の実施形態に係る警報システムＳの効果］
以上説明したように、警報システムＳのインターホン３は感知器１により検出された異状の種別に基づいて警報音声を出力する区画を特定する。そして、インターホン３は、特定した区画に設けられたインターホン３に警報音声を出力させる。このようにすることで、インターホン３は、異状を通知する必要のある利用者にのみ異状を通知することができる。
【００５４】
＜第３の実施形態＞
続いて、本発明の第３の実施形態について説明する。第３の実施形態では、警報システムＳが、感知器１において検出する異状とは異なる空間の異状を検出する検出器を備える形態について説明する。以下、図６及び図７を参照しながら第２の実施形態と異なる点について説明し、同様の点については適宜省略する。
【００５５】
図６は、第３の実施形態に係る警報システムＳの概要を説明するための図である。第３の実施形態に係る警報システムＳは、第２の実施形態に係る警報システムＳの構成に加えて、建物内の空間に設けられた複数の検出器５（５ａ、５ｂ）をさらに備える。図６に示すように、検出器５ａは区画Ａ１に対応する空間に設けられ、検出器５ｂは区画Ａ２に対応する空間に設けられている。
【００５６】
図７は、第３の実施形態に係る警報システムＳの機能構成を示す図である。検出器５は、通信部５０と、検出部５１とを備える。
通信部５０は、インターホン３に検出情報を送信するための専用の信号線に対応した通信インターフェースである。
【００５７】
検出部５１は、例えば、可燃性ガスを検出するガス漏れ検知器、検出器５が設けられた空間に対する部外者の侵入を検出する各種センサーであり、感知器１が検出する異状（火災）とは異なる種別の異状を検出する。また、検出部５１は、一以上のスイッチを備えていてもよい。スイッチは、例えばバス、トイレ、区画Ａに対応する空間の任意の箇所に設置される。検出部５１は、スイッチが押されると、当該スイッチが設置された箇所に対応する異状が発生したものとみなす。検出部５１は、検出器５が設けられた空間において異状が発生したことを検出すると、検出した異状の種別を示す種別情報を含む検出情報をインターホン３に送信する。
【００５８】
インターホン３の出力制御部３２２は、感知器１から検出情報を受信した場合と、検出器５から検出情報を受信した場合とで、異なる区画の範囲に警報音声を出力させる。例えば、出力制御部３２２は、感知器１が異状を検出した場合には、第１の範囲に含まれる区画に設けられているインターホン３に警報音声を出力させる。出力制御部３２２は、検出器５が異状を検出した場合には、第１の範囲と異なる第２の範囲に含まれる区画に設けられているインターホン３に警報音声を出力させる。例えば、出力制御部３２２は、感知器１により火災が検出された場合、建物内の利用者に火災の発生を通知する必要があるので、住棟受信機４に火災を検出したことを示す検出情報を送信することにより建物内の全ての区画に警報音声を出力させる。出力制御部３２２は、検出器５によりトイレにおいて異状が発生したことが検出された場合、スイッチを押した利用者に助けが必要であるとみなして、異状を検出した検出器５が設置された空間に対応する一以上の区画に警報音声を出力させる。この場合、一以上の区画は、例えば、検出器５が設けられた区画、当該区画に隣接する複数の区画である。
【００５９】
［第３の実施形態に係る警報システムＳの効果］
以上説明したように、警報システムＳは、感知器１とは異なる異状を検出する検出器５を備える。そして、警報システムＳのインターホン３は、感知器１が異状を検出した場合と、検出器５が異状を検出した場合とで、異なる区画の範囲に警報音声を出力させる。このようにすることで、インターホン３は、異状を検出した機器に応じて、異状を通知する必要がある利用者にのみ異状を通知することができる。
【００６０】
＜第４の実施形態＞
続いて、本発明の第４の実施形態について説明する。第４の実施形態では、警報システムＳが、感知器１が設置されている位置を特定し、特定した位置に基づいて利用者が使用する言語を特定する形態について説明する。以下、第２の実施形態と異なる点について説明し、同様の点については適宜省略する。
【００６１】
図８は、第４の実施形態に係る警報システムＳの機能構成を示す図である。第４の実施形態に係る感知器１は、位置特定部１３を備える。位置特定部１３は、ＧＰＳ（Global Positioning System）受信器を備えており、ＧＰＳ衛星から受信した信号に基づいて感知器１の位置を特定する。位置特定部１３は、当該位置を示す位置情報をインターホン３に送信する。
【００６２】
第４の実施形態に係るインターホン３は、感知器１が設置されている設置位置を特定する位置特定部３２３をさらに備える。インターホン３の位置特定部３２３は、感知器１から受信した位置情報に基づいて感知器１が設置されている位置を特定する。なお、インターホン３の位置特定部３２３は、感知器１の位置特定部と同様に、ＧＰＳ受信機を備えていてもよい。
【００６３】
記憶部３３は、複数の地域を示す地域情報のそれぞれと、それぞれの地域に対応する一以上の言語とを関連付けた地域別言語情報を記憶する。例えば、地域情報は、一地点を示す位置情報（例えば、都市の位置を示す位置情報）、又は複数地点を含む位置の範囲を示す情報（例えば、経度・緯度の範囲を示す範囲情報）である。ここで、地域情報が位置の範囲を示す情報である場合には、それぞれの地域に対応する位置の範囲が重複していないものとする。なお、記憶部３３は、地域において使用されている一以上の言語を示す情報のそれぞれに関連付けて、当該地域における当該言語の使用頻度を記憶してもよい。
【００６４】
言語特定部３２０は、位置特定部により特定された感知器１が設置されている位置に基づいて言語を特定する。具体的には、まず、言語特定部３２０は、地域別言語情報を参照して、特定された位置を示す位置情報に対応する地域を特定する。例えば、言語特定部３２０は、地域情報として一地点を示す位置情報が地域別言語情報に記憶されている場合、特定された位置から最も近い地域を、特定された位置に対応する地域と特定する。また、言語特定部３２０は、地域情報として、位置の範囲を示す情報が記憶されている場合、特定された位置を含む地域を、特定された位置に対応する地域と特定する。そして、言語特定部３２０は、地域別言語情報において、特定された地域に関連付けられた言語を特定する。
【００６５】
選択部３２１は、言語特定部３２０により特定された言語に対応する警報音声情報を選択する。なお、選択部３２１は、言語特定部により複数の言語が選択された場合、特定された地点において使用頻度が相対的に大きい言語を選択してもよい。このようにすることで、選択部３２１は、感知器１の付近にいる人が認識できる可能性が高い言語を選択することができる。
【００６６】
（第４の実施形態の変形例）
以上の説明においては、記憶部３３は、複数の地域を示す位置情報のそれぞれと、それぞれの地域に対応する言語とを関連付けて記憶した。これに限らず、記憶部３３は、地域を訪れる旅行者の使用頻度が大きい言語を、旅行者が使用する言語として記憶してもよい。この場合において、例えば、記憶部３３は、地域を示す位置情報に関連付けて旅行者が使用する言語を旅行者言語情報として記憶する。言語特定部３２０は、記憶部３３に記憶されている旅行者言語情報を参照して、位置特定部３２３により特定された位置に対応する地域を訪れる旅行者が使用する言語を特定する。選択部３２１は、言語特定部３２０により特定された旅行者が使用する言語に対応する警報音声情報を選択する。このようにすることで、インターホン３は、感知器１が設置された位置に対応する地域を訪れる旅行者が認識できる可能性が高い言語に対応する警報音声を出力することができる。
【００６７】
なお、言語特定部３２０は、記憶部３３に記憶されている旅行者言語情報を参照して、旅行者が使用する言語を特定するとともに、記憶部３３に記憶されている地域別言語情報を参照して、地域に対応する言語を特定してもよい。選択部３２１は、言語特定部３２０により特定された複数の言語のそれぞれに対応する複数の警報音声情報を選択する。このようにすることで、インターホン３は、感知器１が設置された位置に対応する地域に居住している人及び当該地域に訪問した旅行者が認識できる可能性が高い警報音声を出力することができる。
【００６８】
なお、言語特定部３２０は、特定された位置が同じ場合であっても、時期によって異なる言語を特定するようにしてもよい。具体的には、記憶部３３は、地域を示す地域情報と、時期と、旅行者が使用する言語とを関連付けて旅行者言語情報として記憶する。言語特定部３２０は、記憶部３３に記憶されている地域別言語情報を参照し、特定された位置を示す位置情報に対応する地域を特定する。そして、言語特定部３２０は、特定された地域と、現在の日付に対応する時期とに関連付けられている旅行者が使用する言語を特定する。このようにすることで、言語特定部３２０は、時期の変化に応じて旅行者が使用する言語が変化する場合でも、旅行者が使用する言語を特定することができる。
【００６９】
［第４の実施形態に係る警報システムＳの効果］
以上説明したように、警報システムＳのインターホン３は、感知器１が設置された位置を示す位置情報に基づいて、空間を利用する利用者が使用する言語を特定し、特定された言語に対応する警報音声情報を選択する。そして、インターホン３は、選択された警報音声情報に対応する警報音声を出力する。このようにすることで、警報システムＳは、第２実施形態と同様に、インターホン３の周辺にいる利用者に異状が発生していることを認識させることができる。
【００７０】
以上、本発明を実施の形態を用いて説明したが、本発明の技術的範囲は上記実施の形態に記載の範囲には限定されず、その要旨の範囲内で種々の変形及び変更が可能である。例えば、実施の形態においては、室内受信機２又はインターホン３が空間で発せられた利用者の音声を示す音声情報を取得する取得部を備えているものとして説明したが、これに限らず、感知器１が取得部を備えていてもよい。警報制御装置としての住棟受信機４の機能は、ＬＡＮ（Local Area Network）等のネットワークで接続された外部の情報処理装置が備えていてもよく、外部の情報処理装置が言語の特定及び警報音声情報の選択を行ってもよい。また、上記の説明においては、建物に複数の空間がある場合を例示したが、１つの空間（すなわち１つの部屋）のみを有する建物に本発明を適用することもできる。
【００７１】
また、第２、第３又は第４の実施形態に係るインターホン３の機能を、室内受信機２又は住棟受信機４が備えていてもよい。装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００７２】
１  感知器
２  室内受信機
３  インターホン
４  住棟受信機
５  検出器
６  ドアホン
１０  通信部
１２  検出部
３０  通信部
３１  出力部
３２  制御部
３３  記憶部
４０  通信部
４１  記憶部
４２  制御部
５０  通信部
５１  検出部
３２０  言語特定部
３２１  選択部
３２２  出力制御部
４２０  言語特定部
４２１  選択部
４２２  出力制御部
【図１】
2019101638.tif 000003
【図２】
2019101638.tif 000004
【図３】
2019101638.tif 000005
【図４】
2019101638.tif 000006
【図５】
2019101638.tif 000007
【図６】
2019101638.tif 000008
【図７】
2019101638.tif 000009
【図８】
2019101638.tif 000010